(57)【要約】【課題】有害反射光の影響を低減することができるレンズ鏡筒及びこれを用いた電子機器を提供することである。【解決手段】レンズ鏡筒１０は、第２レンズＬ２と、第２レンズＬ２を保持する移動枠５と、全周に至らずに間欠的に設けられ、第２レンズＬ２の外周縁部の一部を移動枠５にかしめ固定するかしめ部５ｂと、第２レンズＬ２の外周縁部であって、かしめ部５ｂによって移動枠５に固定されていない部分を覆う遮光部材６等とを備える。【選択図】図１
2007226144.tif 000002
【特許請求の範囲】
【請求項１】
光学系と、
前記光学系が備えられる筐体と、
前記光学系の外周縁部の一部を前記筐体に固定する固定部と、
前記光学系の外周縁部であって、前記固定部によって前記筐体に固定されていない部分を覆う遮光部材とを備える
レンズ鏡筒。
【請求項２】
請求項１に記載されたレンズ鏡筒であって、
前記光学系は、レンズであり、
前記筐体は、レンズ室である
ことを特徴とするレンズ鏡筒。
【請求項３】
請求項１又は請求項２に記載されたレンズ鏡筒であって、
前記固定部は、前記光学系を前記筐体にかしめ固定している
ことを特徴とするレンズ鏡筒。
【請求項４】
請求項１から請求項３までの何れか１項に記載されたレンズ鏡筒であって、
前記固定部は、前記筐体の周方向に沿って部分的に設けられている
ことを特徴とするレンズ鏡筒。
【請求項５】
請求項１から請求項４までの何れか１項に記載されたレンズ鏡筒であって、
前記遮光部材は、前記筐体にかしめ固定されている
ことを特徴とするレンズ鏡筒。
【請求項６】
請求項５に記載されたレンズ鏡筒であって、
前記遮光部材のかしめ固定位置は、前記固定部の外側である
ことを特徴とするレンズ鏡筒。
【請求項７】
請求項１から請求項６までの何れか１項に記載されたレンズ鏡筒であって、
前記遮光部材は、前記光学系の外周縁部の全周にわたって備えられている
ことを特徴とするレンズ鏡筒。
【請求項８】
請求項１から請求項７までの何れか１項に記載されたレンズ鏡筒であって、
前記筐体の周方向において、前記固定部が設けられていない部分には、前記筐体の径方向に突出した突出部が備えられている
ことを特徴とするレンズ鏡筒。
【請求項９】
請求項１から請求項８までの何れか１項に記載されたレンズ鏡筒を用いたことを特徴とする電子機器。
【請求項１０】
請求項９に記載された電子機器であって、スチルカメラ、又は、ビデオカメラであることを特徴とする電子機器。
【発明の詳細な説明】
【技術分野】
【０００１】
本発明は、レンズ鏡筒及び電子機器に関するものである。
【背景技術】
【０００２】
従来技術として、熱かしめによりレンズを部分的に固定して、レンズ外径の増大を防止するレンズ鏡筒が知られている（例えば、特許文献１）。しかし、レンズの外周縁部が露出しており、レンズの外周縁部で反射する有害反射光により光学特性が劣化する問題があった。
【特許文献１】特開平４−１３６８０４号公報
【発明の開示】
【発明が解決しようとする課題】
【０００３】
本発明の課題は、有害反射光の影響を低減することができるレンズ鏡筒及び電子機器を提供することである。
【課題を解決するための手段】
【０００４】
本発明は、以下のような解決手段により前記課題を解決する。なお、理解を容易にするために、本発明の一実施例を示す図面に対応する符号を付して説明するが、これに限定されるものではない。
請求項１の発明は、光学系（Ｌ２）と、前記光学系（Ｌ２）が備えられる筐体（５）と、前記光学系（Ｌ２）の外周縁部の一部を前記筐体（５）に固定する固定部（５ｂ）と、前記光学系（Ｌ２）の外周縁部であって、前記固定部（５ｂ）によって前記筐体（５）に固定されていない部分を覆う遮光部材（６，１６）とを備えるレンズ鏡筒（１０，１０−２）である。
請求項２の発明は、請求項１に記載されたレンズ鏡筒（１０，１０−２）であって、前記光学系（Ｌ２）は、レンズ（Ｌ２）であり、前記筐体（５）は、レンズ室（５）であることを特徴とするレンズ鏡筒（１０，１０−２）である。
請求項３の発明は、請求項１又は請求項２に記載されたレンズ鏡筒（１０，１０−２）であって、前記固定部（５ｂ）は、前記光学系（Ｌ２）を前記筐体（５）にかしめ固定していることを特徴とするレンズ鏡筒（１０，１０−２）である。
請求項４の発明は、請求項１から請求項３までの何れか１項に記載されたレンズ鏡筒（１０，１０−２）であって、前記固定部（５ｂ）は、前記筐体（５）の周方向に沿って部分的に設けられていることを特徴とするレンズ鏡筒（１０，１０−２）である。
請求項５の発明は、請求項１から請求項４までの何れか１項に記載されたレンズ鏡筒（１０，１０−２）であって、前記遮光部材（６，１６）は、前記筐体（５）にかしめ固定されていることを特徴とするレンズ鏡筒（１０，１０−２）である。
請求項６の発明は、請求項５に記載されたレンズ鏡筒（１０，１０−２）であって、前記遮光部材（６，１６）のかしめ固定位置は、前記固定部（５ｂ）の外側であることを特徴とするレンズ鏡筒（１０，１０−２）である。
請求項７の発明は、請求項１から請求項６までの何れか１項に記載されたレンズ鏡筒（１０）であって、前記遮光部材（６）は、前記光学系（Ｌ２）の外周縁部の全周にわたって備えられていることを特徴とするレンズ鏡筒（１０）である。
請求項８の発明は、請求項１から請求項７までの何れか１項に記載されたレンズ鏡筒（１０，１０−２）であって、前記筐体（５）の周方向において、前記固定部（５ｂ）が設けられていない部分には、前記筐体（５）の径方向に突出した突出部（５ｃ）が備えられていることを特徴とするレンズ鏡筒（１０，１０−２）である。
請求項９の発明は、請求項１から請求項８までの何れか１項に記載されたレンズ鏡筒（１０，１０−２）を用いたことを特徴とする電子機器である。
請求項１０の発明は、請求項９に記載された電子機器であって、スチルカメラ、又は、ビデオカメラであることを特徴とする電子機器である。
なお、符号を付して説明した構成は適宜改良してもよく、また、少なくとも一部を他の構成物に代替してもよい。
【発明の効果】
【０００５】
本発明によれば、有害反射光の影響を低減することができるレンズ鏡筒及びこれを用いた電子機器を提供することができる。
【発明を実施するための最良の形態】
【０００６】
以下、図面等を参照して、本発明の実施例をあげて、さらに詳しく説明する。なお、本発明の電子機器は、例えば、スチルカメラ、ビデオカメラ、光学性能を調整するための光軸合わせ装置、光線投射装置等とすることができるが、以下の実施例では、レンズ鏡筒を例にとって説明する。
【実施例１】
【０００７】
図１及び図２は、実施例１のレンズ鏡筒を示す図であって、図１は、光軸断面図であり、図２は、図１のＡ−Ａ断面図である。
図１及び図２に示すように、実施例１のレンズ鏡筒１０は、第１レンズＬ１と、第２レンズＬ２と、第３レンズＬ３と、固定筒１と、操作リング２と、カムピン３と、カム軸４と、移動枠５と、遮光部材６等とを備える。
【０００８】
第１レンズＬ１，第２レンズＬ２及び第３レンズＬ３は、この順に、被写体側から光軸Ｏ方向に並んで配置されている。第２レンズＬ２は、被写体側の外周縁部に面取り部Ｌ２ａを有する。
固定筒１は、第１レンズＬ１を固定する部材であり、光軸Ｏに沿って形成された直進穴１ａと、不図示のカメラ本体と結合を行うバヨネット１ｂとを有する。
操作リング２は、固定筒１に保持され、光軸Ｏまわりに回転可能な部材であり、操作リング２の内径側には、カム２ａが設けられている。
カムピン３は、操作リング２のカム２ａのカム面、及び、固定筒１の直進穴１ａに接する。
カム軸４は、移動枠５にカムピン３を固定する部材である。
【０００９】
移動枠５は、固定筒１に嵌合され、第２レンズＬ２と第３レンズＬ３とを固定する部材であり、２つのかしめ部５ａ，５ｂと、脚部５ｃと、遮光部材固定部５ｄとを有する。
かしめ部５ａは、移動枠５の周方向の全周にわたって設けられ、熱かしめによって、移動枠５に第３レンズＬ３を固定する部分である。
脚部５ｃは、移動枠５から被写体側に延在して、かつ、移動枠５の径方向に突出して設けられ（本実施例では、３箇所；図２参照）、カムピン３及びカム軸４を設置するための部材である。
【００１０】
かしめ部５ｂは、かしめ部５ａと異なり、脚部５ｃが間に形成されるため、移動枠５の周方向の全周に至らずに間欠的に設けられ（本実施例では、脚部５ｃの間の３箇所）、面取り部Ｌ２ａを利用して、かつ、熱かしめによって、移動枠５に第２レンズＬ２を固定する部分である。
かしめ部５ｂを間欠的に形成している理由は、レンズ鏡筒１０を小型・小径化した場合であっても、移動枠５には、２，３本のカムピン３を設けなければならず、このような光学設計の制約と構造物の干渉の制約等により、脚部５ｃの付け根の部分とかしめ部５ｂとが重なってしまい、かしめ部５ｂを全周にわたって形成することができないからである。
遮光部材固定部５ｄは、熱かしめによって、遮光部材６の遮光部材取付部６ａを移動枠５に固定する部材である。
遮光部材６は、かしめ部５ｂを含む第２レンズＬ２の外周縁部の全周を覆う部材であり、移動枠５に遮光部材６を固定するための遮光部材取付部６ａを有する。また、遮光部材６は、図２に示すように、遮光部材固定部５ｄ及び遮光部材取付部６ａにより、移動枠５の脚部５ｃがない部分であって、かしめ部５ｂの外側の部分に固定されている。したがって、遮光部材６は、第２レンズＬ２の面取り部Ｌ２ａを露出させていない。
【００１１】
次に、本実施例のレンズ鏡筒１０の動作について説明する。
操作リング２を回転操作すると、カム２ａと直進穴１ａとにカムピン３が案内され、カムピン３が光軸Ｏに沿って移動する。カムピン３は、カム軸４によって移動枠５に固定されているので、移動枠５が光軸Ｏに沿って移動する。
そして、移動枠５に固定されている第２レンズＬ２，第３レンズＬ３が光軸Ｏに沿って移動する。このとき、第２レンズＬ２，第３レンズＬ３の移動が、ピント合わせに関するものであればピント調節が行われ、焦点距離変更に関するものであればズーム調節が行われ、収差変更に関するものであれば収差調節が行われる。
【００１２】
このように、実施例１のレンズ鏡筒１０によれば、有害反射光を引き起こす原因となる第２レンズＬ２の面取り部Ｌ２ａは、遮光部材６によって覆われているので、面取り部Ｌ２ａの露出による有害反射光の発生を低減することができる。
また、有害反射光の発生を低減することができるので、光学性能の良好なレンズ鏡筒１０を提供することができる。
さらに、本実施例の構成は、小型化等の設計の都合により、かしめ部５ｂをレンズの全周にわたって設けられないような場合に好適である。
さらにまた、遮光部材６は、第２レンズＬ２の外周縁部の全周を覆っているので、かしめ部５ｂ付近の保守塗りをする必要がなくなる。
【００１３】
図３及び図４は、レンズ鏡筒の比較例を示す図であって、図３は、光軸断面図であり、図４は、図３のＢ−Ｂ断面図である。
なお、本実施例と同様な機能を果たす部分は、重複する説明を適宜省略する（以下の実施例でも同様）。
図３及び図４に示すように、比較例のレンズ鏡筒２０は、実施例１のような遮光部材６が設けられていない。
その結果、脚部５ｃがある部分の第２レンズＬ２の面取り部Ｌ２ａは、図４に示すように、露出した状態となっており、この露出した面取り部Ｌ２ａは、有害反射光が発生しやすく、好ましくない。
これに対して、本実施例のレンズ鏡筒１０は、遮光部材６によって有害反射光の発生を低減することができるので、このような問題を解決することができる。
【実施例２】
【００１４】
図５及び図６は、実施例２のレンズ鏡筒を示す図であって、図５は、光軸断面図であり、図６は、図５のＣ−Ｃ断面図である。
実施例２のレンズ鏡筒１０−２は、実施例１のような円状の遮光部を有する遮光部材６ではなく、図６に示すように、間欠的な円状の遮光部を有する遮光部材１６を備える。
遮光部材１６は、遮光部材固定部５ｄ及び遮光部材取付部１６ａにより、移動枠５の脚部５ｃがない部分であって、かしめ部５ｂの外側の部分に固定されている。
また、遮光部材１６は、脚部５ｃがある部分、すなわち、かしめ部５ｂによって第２レンズＬ２をかしめていない部分では、第２レンズＬ２の面取り部Ｌ２ａを覆っている。一方、それ以外の部分、すなわち、かしめ部５ｂがある部分では、第２レンズＬ２の面取り部Ｌ２ａは、かしめ部５ｂに覆われており、有害反射光が発生しないので、遮光部材１６で第２レンズＬ２の面取り部Ｌ２ａを覆っていない。
【００１５】
このように、実施例２のレンズ鏡筒１０−２によれば、遮光部材１６のかしめ固定位置が第２レンズＬ２のかしめ固定位置の外側にあり、遮光部材１６は、かしめ部５ｂを覆っていないので、遮光部材１６の熱かしめとかしめ部５ｂの熱かしめとを１度の工程で同時に行なうことができ、工数削減の効果がある。
また、かしめ部５ｂと遮光部材１６とによって、第２レンズＬ２の面取り部Ｌ２ａをすべて覆っているので、実施例１と同様に、有害反射光の発生を低減することができる。
【００１６】
（変形例）
上述した各実施例は、以下の変形も可能である。
（１）第２レンズＬ２は、例えば、レンズ群、反射鏡等の光学系であってもよい。また、光学系は、レンズに限定されるものではなく、平行平面ガラス、反射防止膜等であってもよい。
（２）第２レンズＬ２は、面取り部Ｌ２ａを有するレンズの例で説明したが、面取り部Ｌ２ａを有さないレンズであってもよく、そのレンズの外周縁部を遮光部材で覆えば、各実施例と同様の効果が得られる。
（３）第２レンズＬ２は、移動枠５に固定されている例で説明したが、例えば、固定枠、別部材等の筐体に固定されていてもよい。
【００１７】
（４）第２レンズＬ２は、かしめ部５ｂによってかしめ固定されている例で説明したが、別部材で固定してもよい。
（５）かしめは、熱かしめの例で説明したが、機械的に変形させる通常のかしめであってもよい。
（６）上述したレンズ鏡筒では、脚部５ｃが突出している例で説明したが、超音波モータ等の他の部材が移動枠５の径方向に突出しているような場合であっても、各実施例の構成は有効である。
なお、上述した各実施例及び変形例は、適宜組み合わせて用いることもできるが、詳細な説明は省略する。また、本発明は、以上説明した各実施例によって限定されることはない。
【図面の簡単な説明】
【００１８】
【図１】実施例１のレンズ鏡筒を示す図である。
【図２】実施例１のレンズ鏡筒を示す図である。
【図３】レンズ鏡筒の比較例を示す図である。
【図４】レンズ鏡筒の比較例を示す図である。
【図５】実施例２のレンズ鏡筒を示す図である。
【図６】実施例２のレンズ鏡筒を示す図である。
【符号の説明】
【００１９】
Ｌ１：第１レンズ、Ｌ２：第２レンズ、Ｌ２ａ：面取り部、Ｌ３：第３レンズ、１：固定筒、１ａ：直進穴、１ｂ：バヨネット、２：操作リング、２ａ：カム、３：カムピン、４：カム軸、５：移動枠、５ａ：かしめ部、５ｂ：かしめ部、５ｃ：脚部、５ｄ：遮光部材固定部、６，１６：遮光部材、６ａ：遮光部材取付部、１０，１０−２：レンズ鏡筒、Ｏ：光軸
【図１】
2007226144.tif 000003
【図２】
2007226144.tif 000004
【図３】
2007226144.tif 000005
【図４】
2007226144.tif 000006
【図５】
2007226144.tif 000007
【図６】
2007226144.tif 000008